(57)【要約】【課題】部品点数を削減する。また、施工性に優れた防音カバー固定装置とする。【解決手段】防音カバー11は、全体を鋼板によって一体成形したカバー本体21を有している。カバー本体21は、レールRの両側面にそれぞれ被覆されている一対の側面カバー部31、32と、レールRの底面に被覆されている底面カバー部33とによって構成されている。両側面カバー部31、32および底面カバー部33の一対の境界部分に、カバー本体構成材料の塑性変形による屈曲部61、62がそれぞれ設けられている。【選択図】図２
2010126882.tif 000002
【特許請求の範囲】
【請求項１】
レールに防音カバーを固定するための固定装置であって、防音カバーが、全体を鋼板によって一体成形したカバー本体を有しており、カバー本体が、レールの両側面にそれぞれ被覆されている一対の側面カバー部と、レールの底面に被覆されている底面カバー部とによって構成されており、両側面カバー部および底面カバー部の一対の境界部分に、カバー本体構成材料の塑性変形による屈曲部がそれぞれ設けられているレールの防音カバー固定装置。
【請求項２】
両側面カバー部の内面に、吸音材がそれぞれ被覆されている請求項１に記載のレールの防音カバー固定装置。
【請求項３】
レールに防音カバーを固定するための固定装置であって、防音カバーが、全体を鋼板によって一体成形したカバー本体を有しており、カバー本体が、レールの両側面の一方に被覆されている側面カバー部と、レールの底面に被覆されている底面カバー部とによって構成されており、側面カバー部および底面カバー部の境界部分に、カバー本体構成材料の塑性変形による屈曲部が設けられているレールの防音カバー固定装置。
【請求項４】
レールの両側面の他方に、付加側面カバー部が被覆されており、底面カバー部の自由縁部および付加側面カバー部の下縁部が、ヒンジによって連結されており、底面カバー部の自由縁部に、カバー本体構成材料の塑性変形による屈曲部がヒンジ連結を拘束するように設けられている請求項３に記載のレールの防音カバー固定装置。
【請求項５】
側面カバー部および付加側面カバー部の内面に、吸音材がそれぞれ被覆されている請求項４に記載のレールの防音カバー固定装置。
【発明の詳細な説明】
【技術分野】
【０００１】
この発明は、鉄道レールから発生する騒音を防止するための防音カバーをレールに固定するためのレールの防音カバー固定装置に関する。
【背景技術】
【０００２】
この種の固定装置としては、レールの両側面にそれぞれ被覆されている一対の防音カバーと、両防音カバーをレールに固定している固定具とを備えているものが知られている（例えば、特許文献１参照。）。
【０００３】
従来の上記固定装置では、防音カバーおよび固定具が別部品によって構成されており、そのため、部品点数が多い。さらに、防音カバーを固定具によつてレールに固定するための作業の施工性が悪い。
【特許文献１】特開２００７−２２４７００号公報
【発明の開示】
【発明が解決しようとする課題】
【０００４】
この発明の目的は、部品点数を削減することができ、施工性に優れたレールの防音カバー固定装置を提供することにある。
【課題を解決するための手段】
【０００５】
この発明によるレールの防音カバー固定装置は、レールに防音カバーを固定するための固定装置であって、防音カバーが、全体を鋼板によって一体成形したカバー本体を有しており、カバー本体が、レールの両側面にそれぞれ被覆されている一対の側面カバー部と、レールの底面に被覆されている底面カバー部とによって構成されており、両側面カバー部および底面カバー部の一対の境界部分に、カバー本体構成材料の塑性変形による屈曲部がそれぞれ設けられているものである。
【０００６】
この発明によるレールの防音カバー固定装置では、カバー本体構成材料を塑性変形させることによって防音カバーがレールに固定される。したがって、部品点数を削減することができ、施工性に優れたレールの防音カバー固定装置を提供することができる。
【０００７】
上記レールの防音カバー固定装置において、両側面カバー部の内面に、吸音材がそれぞれ被覆されていることが好ましい。
【０００８】
この発明による他のレールの防音カバー固定装置は、レールに防音カバーを固定するための固定装置であって、防音カバーが、全体を鋼板によって一体成形したカバー本体を有しており、カバー本体が、レールの両側面の一方に被覆されている側面カバー部と、レールの底面に被覆されている底面カバー部とによって構成されており、側面カバー部および底面カバー部の境界部分に、カバー本体構成材料の塑性変形による屈曲部が設けられているものである。
【０００９】
この発明による他のレールの防音カバー固定装置においても、上記固定装置と同様に、部品点数を削減することができ、施工性に優れたレールの防音カバー固定装置を提供することができる。
【００１０】
上記の他のレールの防音カバー固定装置において、レールの両側面の他方に、付加側面カバー部が被覆されており、底面カバー部の自由縁部および付加側面カバー部の下縁部が、ヒンジによって連結されており、底面カバー部の自由縁部に、カバー本体構成材料の塑性変形による屈曲部がヒンジ連結を拘束するように設けられていると、上記屈曲部と同様に、レール本体に、別の屈曲部を形成することによって、付加側面カバー部を簡単に付加することができる。
【００１１】
上記の他のレールの防音カバー固定装置において、側面カバー部および付加側面カバー部の内面に、吸音材がそれぞれ被覆されていることが好ましい。
【発明の効果】
【００１２】
この発明によれば、部品点数を削減することができ、施工性に優れたレールの防音カバー固定装置が提供される。
【発明を実施するための最良の形態】
【００１３】
この発明の実施の形態を図面を参照しながらつぎに説明する。
【００１４】
図１は、レールRに固定される前の防音カバー11を、図２は、レールRに固定した後の防音カバー11をそれぞれ示すものである。
【００１５】
レールRは、上から下にかけて順次連なる、トップRt、ウェッブRwおよびベースRbよりなる。
【００１６】
防音カバー11は、全体を鋼板によって一体成形したカバー本体21を有している。鋼板の厚さは、0.2〜2.3mmである。
【００１７】
図１に示すように、レールRに固定される前の防音カバー11のカバー本体21は、概ね１つの平面に含まれる展開された状態のものである。
【００１８】
カバー本体21は、レールRの長さにそってのびた所要長さを有し、かつ、ウェッブRwの両側面およびベースRb上面にそれぞれ被覆される一対の左右側面カバー部31、32と、ベースRbの底面に被覆される底面カバー部33とによって構成されている。
【００１９】
カバー本体21の、左右側面カバー部31、32および底面カバー部33の境界には、カバー本体21の長さ方向にのびた直線状左右折曲予定部41、42がそれぞれ設定されている。
【００２０】
カバー本体21の左右側面カバー部31、32の内面には左右吸音マット51、52がそれぞれ接着されている。吸音マット51、52は、積層構造の制振材51A、52Aおよびウレタン吸音材51B、52Bよりなる。
【００２１】
レールRに防音カバー11を固定するに際しては、まず、図１に示すように、カバー本体21の左右側面カバー部31、32のいずれか一方を、レールRの下に潜らせて、カバー本体21の底面カバー部33をレールRの下方に位置させられる。ついで、両折曲予定部41、42にそって、カバー本体21の左右側面カバー部31、32をそれぞれ上向きに折曲げる。最終的に、図２に示すように、クランプCを用いて、左右側面カバー部31、32を挟み付ける。その結果、カバー本体21の左右側面カバー部31、32および吸音マット51、52の上縁部が、ウェッブRwの両側面とそれぞれ接触させられる。これと同時に、両折曲予定部41、42には折曲部61、62が形成される。折曲部61、62において、折曲予定部41、42を形成しているカバー本体構成材料は塑性変形させられており、折曲部61、62は、元の平坦状態に戻ることはなく、折曲状態に保持されたままとなる。
【００２２】
図３および図４に、他の実施の形態が示されている。
【００２３】
この実施の形態によれば、カバー本体21は、ウェッブRwの左側面およびベースRb上面の左側に被覆される側面カバー部71と、ベースRbの底面に被覆される底面カバー部72と、ウェッブRwの右側面およびベースRb上面の右側に被覆される付加側面カバー部73とによって構成されている。
【００２４】
側面カバー部71および底面カバー部72が一体成形されている。付加側面カバー部73は、側面カバー部71および底面カバー部72とは別体のものである。
【００２５】
図３では、底面カバー部72は、上記折曲部61、62と同様の折曲部81を形成することによって、折曲済みである。底面カバー部72の自由縁部および付加側面カバー部73の下縁部は、ヒンジ91によって連結されている。さらに、底面カバー部72の自由縁部にはストッパ部92が延在させられている。この後、ストッパ部92に、上記と同じように、折曲部が形成されることによつて、付加側面カバー部73の上縁部がウェッブRw側面と接触させられた状態に拘束される。
【図面の簡単な説明】
【００２６】
【図１】この発明による防音カバー固定装置の、防音カバー固定前の状態を示す垂直横断面図である。
【図２】同固定後の状態を示す垂直横断面図である。
【図３】この発明の他の実施の形態による防音カバー固定装置の、防音カバー固定前の状態を示す垂直横断面図である。
【図４】同固定中の状態を示す垂直横断面図である。
【符号の説明】
【００２７】
11  防音カバー
21  カバー本体
31、32  側面カバー部
33  底面カバー部
61、62  屈曲部
R  レール
【図１】
2010126882.tif 000003
【図２】
2010126882.tif 000004
【図３】
2010126882.tif 000005
【図４】
2010126882.tif 000006